(57)【要約】【課題】リトリーブ開始直後はテール部の波動によって対象魚へのアピール効果を高めることができ、その後のリトリーブにおいてはテール部の波動を弱めて喰い気を高めることが可能な釣り用ルアーを提供する。【解決手段】釣り用ルアー１０は、胴体部１１と、胴体部１１における進行方向Ｄ１とは逆の後方側の後端部２２に設けられた可撓性を有するテール部１２と、を備える。テール部１２は、後端部２２から下方へ突出し、水面又は水中を進行方向Ｄ１へ移動する際に水の抵抗を受ける突出部３１を有する。胴体部１１は、その後端部２２の上面に形成された凹部２５を有する。【選択図】図１
0003223346.tif 000002
【実用新案登録請求の範囲】
【請求項１】
胴体部と、
前記胴体部における進行方向とは逆の後方側の後端部に設けられ、可撓性を有するテール部と、を備える釣り用ルアーであって、
前記テール部は、
前記後端部から前記進行方向に交差する第１方向へ突出し、水面又は水中を前記進行方向へ移動する際に水の抵抗を受ける突出部を有し、
前記胴体部は、
前記第１方向とは反対の第２方向の端面に形成された凹部を有する釣り用ルアー。
【請求項２】
前記胴体部は、
前記後端部を含み、前記後方へ向けて先細り状に延出して前記テール部に至る可撓性を有する先細り部を有し、
前記凹部は、前記先細り部における前記第２方向の表面に形成されている、請求項１に記載の釣り用ルアー。
【請求項３】
前記凹部は、前記後端部における前記第２方向の表面に形成されている、請求項１又は２に記載の釣り用ルアー。
【請求項４】
前記凹部は、側面視で湾曲形状に形成されている、請求項１から３のいずれかに記載の釣り用ルアー。
【請求項５】
水面又は水中における前記釣り用ルアーの姿勢を基準にして、前記第１方向は下方向であり、前記第２方向は上方向である、請求項１から４のいずれかに記載の釣り用ルアー。
【考案の詳細な説明】
【技術分野】
【０００１】
本考案は、魚釣りに用いられる釣り用ルアーに関する。
【背景技術】
【０００２】
従来、魚釣りにおいて、ルアーと称される疑似餌を用いてターゲットとなる対象魚を釣る所謂ルアーフィッシングが広く知られている。ルアーフィッシングにおいては、釣り人は、ルアーをキャストし、ロッドを操作して、ベイトである魚や虫の動きに似るようにアクションを加えながらルアーをリトリーブする。これにより、対象魚のバイトを誘う。
【０００３】
ルアーフィッシングに使用されるルアーの一例として、所謂シャッドテールを有するルアー（以下、シャッドテールルアーという。）が知られている（特許文献１参照）。シャッドテールルアーは、水中を移動する際に水の抵抗を受け易いように設計されたテール部を有しており、ルアーのリトリーブ時にテール部が水流又は水の抵抗を受けると、テール部が左右方向へ交互に振られ、その横振りの反動でルアーのボディがローリング又はウォブリングし、これにより、ベイトフィッシュのリアルな動作を演出することができる。また、テール部が左右方向に振り動かされることによって水中において波動が生じ、この波動と上述した動作によってルアーの存在を対象魚にアピールすることができる。
【先行技術文献】
【特許文献】
【０００４】
【特許文献１】特開２０１３−２２３４３２号公報
【考案の概要】
【考案が解決しようとする課題】
【０００５】
ところで、従来のシャッドテールルアーは、ルアーの移動速度を上げると、移動速度に応じてテール部の左右方向への横振り速度（単位時間あたりの横振り回数）が大きくなる。対象魚に対するアピール効果を高めるためには、テール部の横振り速度を大きくして強い波動と大きな動作を生じさせることが効果的である。したがって、従来のシャッドテールルアーは、ルアーの着水後にリトリーブされた場合、ルアーの移動中は、リトリーブ速度に応じた横振り速度でテール部が横振りする。
【０００６】
しかしながら、テール部の横振りによるアピールによってルアーの存在に気づいた対象魚がルアーに近づいた場合に喰い気を起こさせるためには、シャッドテールルアーのテール部の横振りによる強い波動は却って邪魔であり、波動が強いために対象魚に見切られてしまい、バイトを誘うことができない。特に、対象魚の活性が低い場合は、アピール効果を高めるために強い波動を起こさせたいにも関わらず、その強い波動が対象魚の喰い気を損なうことになり、釣果に繋げることができない。
【０００７】
本考案は、リトリーブ開始直後はテール部の波動によって対象魚へのアピール効果を高めることができ、その後のリトリーブにおいてはテール部の波動を弱めて喰い気を高めることが可能な釣り用ルアーを提供することにある。
【課題を解決するための手段】
【０００８】
(1)  本考案の一の局面に係る釣り用ルアーは、胴体部と、前記胴体部における進行方向とは逆の後方側の後端部に設けられ、可撓性を有するテール部と、を備える。前記テール部は、前記後端部から前記進行方向に交差する第１方向へ突出し、水面又は水中を前記進行方向へ移動する際に水の抵抗を受ける突出部を有する。前記胴体部は、前記第１方向とは反対の第２方向の端面に形成された凹部を有する。
【０００９】
このように構成されているため、ルアーが着水してリトリーブされると、水流又は水の抵抗をテール部の前記突出部が受けることによって、テール部は、その移動速度に応じた横振り速度で横振りを繰り返す。これにより、テール部の横振りによる波動によって、対象魚へのアピール効果が高まる。
その後、更にルアーの移動速度が上昇すると突出部が受ける水の抵抗力も大きくなる。前記突出部に付与される水の抵抗力は、前記テール部を横振りさせるだけでなく、前記テール部を前記２方向へ撓ませる曲げモーメントを生じさせる。そのため、ルアーの移動速度が上昇して突出部が受ける水の抵抗力が大きくなると、前記曲げモーメントも大きくなる。前記胴体部に凹部が設けられていない場合は、前記曲げモーメントが生じてもテール部が前記第２方向へ撓まされる撓み量は無視できるほどに微小である。しかしながら、本考案の釣り用ルアーは、前記胴体部に前記凹部が設けられているため、ルアーの移動速度が上昇して前記曲げモーメントが大きくなったことにより、前記凹部を基点としてテール部が前記第２方向へ屈曲する。これにより、テール部の突出部が受けた水の抵抗が前記進行方向とは逆の後方へ受け流されるため、突出部が受ける水の抵抗力が低下して、テール部の横振り速度が低下し、テール部の横振りによる波動が弱められる。これにより、ルアーのリトリーブ中においてテール部の横振りによる波動を弱めて、対象魚の喰い気を高めることができる。
【００１０】
(2)  ここで、前記胴体部は、前記後端部を含み、前記後方へ向けて先細り状に延出して前記テール部に至る可撓性を有する先細り部を有し、前記凹部は、前記先細り部における前記第２方向の表面に形成されていることが好ましい。
これにより、小さな抵抗でもテール部が容易に横振りすることが可能であり、また、前記曲げモーメントを受けた場合にテール部が容易に第２方向へ屈曲することが可能となる。
【００１１】
(3)  前記凹部は、前記後端部における前記第２方向の表面に形成されている。
これにより、前記曲げモーメントを受けた場合にテール部が更に容易に第２方向へ屈曲することが可能となる。
【００１２】
(4)  前記凹部は、側面視で湾曲形状に形成されている。
これにより、テール部が前記第２方向へ屈曲する際に、左右方向にずれることが抑制できる。
【００１３】
(5)  水面又は水中における前記釣り用ルアーの姿勢を基準にして、前記第１方向は下方向であり、前記第２方向は上方向である。即ち、前記突出部は、前記後端部から下方へ突出している。また、前記凹部は、前記後端部の上面に形成されている。
【考案の効果】
【００１４】
本考案によれば、リトリーブ開始直後はテール部の波動によって対象魚へのアピール効果を高めることができ、その後のリトリーブにおいてはテール部の波動を弱めて喰い気を高めることが可能である。
【図面の簡単な説明】
【００１５】
【図１】図１は、本考案の実施形態に係る釣り用ルアーを示す正面図である。
【図２】図２は、本考案の実施形態に係る釣り用ルアーを示す上面図である。
【図３】図３は、本考案の実施形態に係る釣り用ルアーのテール部の横振り動作を示す部分拡大図である。
【図４】図４は、本考案の実施形態に係る釣り用ルアーのテール部の凹部が屈曲する状態を示す部分拡大図である。
【図５】図５は、本考案の実施形態に係る釣り用ルアーの変形例を示す図である。
【考案を実施するための形態】
【００１６】
以下、適宜図面を参照して本考案の実施形態について説明する。なお、以下に説明される実施形態は本考案を具体化した一例にすぎず、本考案の技術的範囲を限定するものではない。
【００１７】
図１は、本考案の実施形態に係る釣り用ルアー１０（本考案の釣り用ルアーの一例）を示す正面図、図２は、釣り用ルアー１０を示す上面図である。
【００１８】
釣り用ルアー１０（以下「ルアー１０」と略称する。）は、バスフィッシングやソルトルアーフィッシングなどのルアーフィッシングにおいて、ターゲットとなる対象魚のバイトを誘うための疑似餌である。
【００１９】
図１及び図２に示すように、ルアー１０は、全体が軟質樹脂などの軟質材料で形成されており、可撓性を有する所謂ソフトルアーである。また、ルアー１０は、全体形状がベイトを模した形状に形成されており、具体的には、補食される魚などのベイトフィッシュを模した形状に形成されている。なお、ルアー１０の形状は、ベイトフィッシュを模した形状に限られず、ターゲットとなる対象魚が補食するベイト、例えば、ミミズやイソメなどのワーム、エビ、カニなどの水棲生物の形状を模したものであってもよい。
【００２０】
ルアー１０は、胴体部１１と、テール部１２と、を備えており、胴体部１１及びテール部１２は前記軟質材料によって一体に形成されている。前記軟質材料は、例えば、ポリ塩化ビニルであり、必要に応じて、柔軟性や耐候性を改良するための可塑剤や、塩、アミノ酸、ラメなどの添加剤が前記軟質材料に混入される。
【００２１】
胴体部１１は、ルアー１０の先頭部に位置するヘッド部２１を有しており、ヘッド部２１からルアー１０の進行方向Ｄ１とは反対の後方へ延出している。なお、進行方向Ｄ１は、ルアー１０がリトリーブされる際に移動する方向である。以下、進行方向Ｄ１を前方Ｄ１と称する場合がある。また、以下の実施形態において、下方向が本考案の第１方向に相当し、上方向が本考案の第２方向に相当する。
【００２２】
胴体部１１の内部には、シンカー１４、ラインアイ１５、及びフックアイ１６を有する連結具１３が設けられている。ラインアイ１５は、ヘッド部２１の先端面から外部に露出されており、フックアイ１６は胴体部１１の下面から外部に露出されている。ラインアイ１５には、ロッドから引き出されたラインが直接或いはスナップなどを介して間接的に止着される。また、フックアイ１６には、フック１７が連結されている。
【００２３】
なお、本実施形態では、連結具１３とフック１７とが個別に設けられた構成を例示するが、例えば、ラインアイ１５を有するオフセットフックなどのフックなどが胴体部１１の内部に予め装着されていてもよい。また、ルアー１０は、予め胴体部１１に前記フックが装着されたものでなくてもよい。つまり、ルアー１０は、連結具１３や前記フックを必須の要素とするものではなく、釣り人が任意に連結具１３や前記フックを胴体部１１に装着可能なように構成されたものであればよい。
【００２４】
テール部１２は、胴体部１１の後方（進行方向Ｄ１とは反対の方向）側の後端部２２に設けられている。胴体部１１は、前記後方へ向けて先細り状に延出する先細り部２３を有しており、その延出端部である後端部２２にテール部１２が設けられている。
【００２５】
テール部１２は、所謂シャッドテールと称される形状（シャッドテール形状）に形成されており、水面又は水中を移動する際に水の抵抗を受け易い形状に形成されている。具体的には、テール部１２は、胴体部１１の後端部から後方斜め下方へ突出する突出部３１を有する。突出部３１を有する。水面又は水中を進行方向Ｄ１へルアー１０が移動する際に、突出部３１が水の抵抗を受ける。
【００２６】
図２に示すように、突出部３１の後方の端面３３は、後方斜め上方を向くように傾斜しており、その傾斜方向に長い平坦な面である。突出部３１は、その上端部３４から下端部３５へ向かうにしたがって徐々に幅サイズが広くなるように形成されている。突出部３１における前方Ｄ１側の前方部３６は、突出部３１の幅方向の両端部から前方Ｄ１へ向けて徐々に先細り形状に形成されており、胴体部１１の後端部２２に滑らかに連続するように繋がっている。
【００２７】
図３は、ルアー１０のテール部１２の形状及びテール部１２の横振り動作を示す部分拡大図である。上述したようにテール部１２がシャッドテール形状に形成されているため、釣り人がルアー１０をキャストしてルアー１０が着水した後にルアー１０をリトリーブすると、ルアー１０のリトリーブ時に突出部３１の前方部３６の左右端部に水流又は水の抵抗を受ける。そして、ルアー１０のリトリーブ時に突出部３１の前方部３６の左右端部に水流又は水の抵抗を受けると、図３に示すように、テール部１２が左右方向Ｄ２へ交互に振られる横振りが繰り返される。これにより、左右方向Ｄ２への横振りによって水中において波動が生じ、また、前記横振りの反動によってルアー１０の胴体部１１がローリング又はウォブリングするため、ベイトフィッシュのようなリアルな動作を演出することができる。なお、テール部１２における前記シャッドテール形状については、従来周知の形状であるため、より詳細な説明は省略する。
【００２８】
図１及び図２に示すように、胴体部１１の後端部２２には、凹部２５が形成されている。本実施形態では、凹部２５は、後端部２２の上部に形成されており、より詳細には、後端部２２の上面に形成されている。凹部２５は、後端部２２の上面から下方へ窪んだ形状であり、図１に示すように、側面視で湾曲形状に形成されている。凹部２５は、胴体部１１の先細り部２３の後方端部において、上面から下方へ概ね３分の１程度の深さまで湾曲状に切り取られた形状である。なお、本実施形態では、側面視で湾曲形状の凹部２５を例示するが、凹部２５の形状は限定されず、後端部２２の上面から下方へ凹んだ形状であれば如何なる形状であってもよい。
【００２９】
図４は、ルアー１０のテール部１２の凹部２５が屈曲する状態を示す部分拡大図であり、図４（Ａ）は屈曲前の状態を示し、図４（Ｂ）はリトリーブ中の水の抵抗力が増加したときの状態を示し、図４（Ｃ）はテール部１２が上方へ屈曲された状態を示す。釣り人が着水したルアー１０に対してリトリーブを開始したり、ロッド操作によってルアー１０を引き寄せると、突出部３１の前方部３６が水の抵抗を受ける。その抵抗力（Ｆ１，Ｆ２）は、テール部１２を横振りさせるだけでなく、テール部１２を上方向へ撓ませる曲げモーメントを生じさせる。
【００３０】
ルアー１０の着水後にルアー１０をゆっくりとリトリーブしたり、ゆっくりと引き寄せる場合、ルアー１０の移動速度は比較的遅い。この場合、図４（Ａ）に示すように、突出部３１の前方部３６が受ける水の抵抗力Ｆ１は比較的小さく、テール部１２に生じる上方への曲げモーメントＭ１は比較的小さい。そのため、凹部２５は屈曲されることはなく、また、屈曲したとしても微小であり、テール部１２も姿勢変化することはない。
【００３１】
一方、着水したルアー１０に対して強くリトリーブしたり、ロッド操作により強く引き寄せることにより、ルアー１０の移動速度を上げると、前方部３６が受ける水の抵抗は徐々に上昇し、これに伴い、テール部１２の横振り速度も速くなる。
【００３２】
そして、更にルアー１０の移動速度を速くすると、突出部３１の前方部３６が受ける水の抵抗も大きくなる。図４（Ｂ）に示すように、前方部３６が受ける水の抵抗が大きくなり、前記抵抗力Ｆ１よりも大きい所定の抵抗力Ｆ２になると、前記曲げモーメントＭ１よりも大きい曲げモーメントＭ２がテール部１２に生じる。この曲げモーメントＭ２は、凹部２５を屈曲させてテール部１２を矢印Ｄ３の方向（上方向）へ姿勢変化させる力、つまり、矢印Ｄ３の方向へテール部１２を屈曲させる力として生じる。この曲げモーメントＭ２によって、テール部１２は矢印Ｄ３の方向へ姿勢変化して、図４（Ｃ）に示すように、屈曲されて、突出部３１の突出方向の傾斜が緩やかな姿勢となる。
【００３３】
仮に、胴体部１１の後端部２２に凹部２５が設けられていない場合は、前記曲げモーメントＭ２が生じても、後端部２２がテール部１２を上方へ姿勢変化することを抑えてくれるため、テール部１２が上方へ姿勢変化することはなく、仮に変化したとしてもその変化量は無視できるほどに微小である。
【００３４】
しかしながら、本実施形態のルアー１０においては、上述したように後端部２２の上面に凹部２５が形成されているため、ルアー１０の移動速度が上昇して曲げモーメントＭ２が生じたことにより、図４（Ｃ）に示すように、凹部２５が矢印Ｄ４の方向へ座屈するように屈曲し、これにより、凹部２５付近を基点としてテール部１２が矢印Ｄ３の方向（図４（Ｃ）において反時計回転方向）へ回動するように姿勢変化する。
【００３５】
図４（Ｃ）に示すように、曲げモーメントＭ２によって凹部２５が矢印Ｄ４の方向へ屈曲し、テール部１２が矢印Ｄ３の方向へ姿勢変化すると、テール部１２の突出部３１が後方へ変位し、突出部３１の突出方向の傾斜がより緩やかとなる。そのため、突出部３１の前方部３６が受けた水の抵抗が突出部３１の下方を通って進行方向Ｄ１とは逆の後方へ受け流され易くなる（実線矢印参照）。この場合、前方部３６の全面が受ける抵抗力Ｆ２はさほど変わらないが、前方部３６における下端側面が受ける後方への抵抗が上がり、テール部１２を横振りさせる力として前方部３６における左右両側面に付与されていた抵抗（破線矢印参照）は弱まる。したがって、矢印Ｄ３へ姿勢変化させる曲げモーメントＭ２は大きく変化しないため、テール部１２は図４（Ｃ）に示す姿勢を維持するが、前方部３６における左右両側面が受ける水の抵抗が低下したことにより、テール部１２の横振り速度も低下し、テール部１２の横振りによる波動が弱められる。その結果、ルアー１０のリトリーブ中においてルアー１０の移動速度を所定の速度以上まで上げた場合、それまでは移動速度に比例してテール部１２の横振り速度が上がるが、前記所定の速度を超えるとテール部１２の横振り速度が低下し、横振りによる波動が弱められて、これにより、対象魚の喰い気を高めることができる。
【００３６】
以上説明したように本実施形態のルアー１０が構成されているため、当該ルアー１０であれば、釣り人がルアー１０のリトリーブ或いはロッド操作によってルアー１０の移動速度を上昇させた場合に、当該移動速度が所定の速度を超えた時点でテール部１２の横振りが緩められ、その結果、横振りによる波動を弱めて対象魚の喰い気を高めることが可能となる。特に、着水後からリトリーブ開始直後は前記所定の移動速度よりも遅い速度でルアー１０がリトリーブされるので、その際は、ルアー１０のテール部１２の横振り及び当該横振りによる波動によって対象魚へのアピール効果を高めることができる。そして、その後のリトリーブ又はロッド操作によりルアー１０の移動速度が前記所定の移動速度よりも速くされると、テール部１２の横振り及び波動が弱められて、これにより、対象魚の喰い気を高めることが可能となる。以上より、激しい横振りによりルアー１０の存在に気づいた対象魚がルアー１０に近づいた場合に、対象魚に見切られることなく、また、喰い気を損なうこともなく、効果的に対象魚のバイトを誘うことができ、釣果に繋げることができる。
【００３７】
また、本実施形態では、凹部２５が、側面視で湾曲形状に形成されているため、テール部１２が矢印Ｄ３の方向（上方向）へ姿勢変化（屈曲）する際に、左右方向Ｄ２へテール部１２がずれることが抑制できる。
【００３８】
なお、上述の実施形態では、凹部２５が後端部２２の上面に形成された構成を例示したが、凹部２５は、少なくとも先細り部２３の上面に形成されていればよい。
【００３９】
また、上述の実施形態では、突出部３１が後端部２２から下方へ突出しており、凹部２５が後端部２２の上面に形成された構成を例示したが、例えば、突出部３１が後端部２２から上方へ突出しており、凹部２５が後端部２２の下面に形成されていてもよい。
【００４０】
また、上述の実施形態では、全体が軟質樹脂などの軟質材料で形成されたルアー１０を例示したが、本発明の釣り用ルアーはこの構成に限られない。例えば、図５に示すように、テール部１２と、テール部１２の横振りにより左右方向へ揺動する先細り部２３とを可撓性を有する軟質樹脂などの軟質材料で形成し、胴体部１１において先細り部２３を除く固定部２４（図５に示す網掛け部分）が可撓性を有しない合成樹脂などの硬質材料で形成されたものであってもよい。この場合、先細り部２３は、固定部２４の後端部に着脱可能に取り付けられるように構成されている。
【符号の説明】
【００４１】
１０  ：釣り用ルアー
１１  ：胴体部
１２  ：テール部
１３  ：連結具
１４  ：シンカー
１５  ：ラインアイ
１６  ：フックアイ
１７  ：フック
２１  ：ヘッド部
２２  ：後端部
２３  ：先細り部
２５  ：凹部
３１  ：突出部
３３  ：端面
３４  ：上端部
３５  ：下端部
３６  ：前方部
Ｄ１  ：進行方向
Ｄ２  ：左右方向
Ｄ３  ：矢印
Ｄ４  ：矢印
Ｆ１  ：抵抗力
Ｆ２  ：抵抗力
Ｍ１  ：曲げモーメント
Ｍ２  ：曲げモーメント
【図１】
0003223346.tif 000003
【図２】
0003223346.tif 000004
【図３】
0003223346.tif 000005
【図４】
0003223346.tif 000006
【図５】
0003223346.tif 000007